(57)【要約】【課題】来訪者が、来訪先の専用玄関の電子錠を開錠できる集合住宅用セキュリティシステムを提供する。【解決手段】来訪者８ａが集合住宅７を来訪した際、来訪先の住戸に付されている住戸番号を共用玄関機２に入力すると、共用玄関機２から該住戸番号が付された住戸の専用玄関機３へ呼出信号が送信され、専用玄関機３は、専用玄関機３と対になる室内応答機４へ呼出無線信号を無線で通信する。住居者８ｂが室内応答機４にて応答すると、該室内応答機４と対になる専用玄関機３は、専用玄関機３が設置されている専用玄関７ｂの電子錠の開錠に用いるワンタイムパスワードを生成し、生成したワンタイムパスワードを共用玄関機２へ送信し、専用玄関機３が生成したワンタイムパスワードは共用玄関機２によりＩＣカード５へ書き込まれ、来訪者８ａが来訪先の住戸を来訪した際に、共用玄関機２によってＩＣカード５のワンタイムパスワードが照合される。【選択図】図１
2013068026.tif 000002
【特許請求の範囲】
【請求項１】
来訪者の来訪が許可される住戸の住戸番号と識別番号を記憶しているトークンと、集合住宅の共用玄関に設置される共用玄関機と、集合住宅の住戸の専用玄関に設置される専用玄関機と、とから少なくとも構成され、
前記共用玄関機は、来訪者が入力した住戸番号に対応する前記専用玄関機へ呼出信号を送信する呼出手段と、前記専用玄関機から入室許可信号を受信すると、前記共用玄関機のリーダライタにかざされた前記トークンから読み出した住戸番号と識別番号を前記専用玄関機へ送信し、該専用玄関機から受信したデータを前記トークンに書き込んだ後、共用玄関の電子錠に開錠信号を送信する共有玄関解除手段を備え、
前記専用玄関機は、前記共用玄関機から呼出信号を受信した後、住居者が入室を許可する操作を行うと入室許可信号を前記共用玄関機へ送信する応答手段と、自機が設けられた住戸の住戸番号と専用玄関の解錠を許可された前記トークンの識別番号を記憶し、前記共用玄関機から住戸番号と識別番号が送信されると、該住戸番号と該識別番号が自機に登録されているか確認し、自機に登録されている場合、所定の手順に従い生成したワンタイムパスワードを該共用玄関機へ送信するデータ生成手段と、前記専用玄関機のリーダライタにかざされた前記トークンから読み取ったワンタイムパスワードと前記データ生成手段が保持しているワンタイムパスワードを照合し、該照合データの照合に成功すると前記専用玄関機が設置されている専用玄関の電子錠に開錠信号を送信する専用玄関開錠手段を備えている、
ことを特徴とする集合住宅用セキュリティシステム。
【請求項２】
前記専用玄関機の前記データ生成手段は、前記共有玄関機へ送信するデータに、この時点の日時を基準として生成した日時データを含ませ、前記専用玄関解錠手段は、前記トークンから読み取ったパスワードの照合に成功し、かつ、この時の日時が、前記トークンから読み取った前記日時データに適合する場合、専用玄関の電子錠に開錠信号を送信することを特徴とする、請求項１に記載した集合住宅用セキュリティシステム。
【請求項３】
前記トークン、前記共用玄関機及び前記専用玄関機に加え、前記専用玄関機と対になる室内応答機とから少なくとも構成し、前記専用玄関機の前記応答手段は、前記共用玄関機から受信した呼出信号を前記室内応答機へ転送し、前記室内応答機から入室許可を示す信号を受信すると入室許可信号を前記共用玄関機へ送信することを特徴とする請求項１または２に記載した集合住宅用セキュリティシステム。
【発明の詳細な説明】
【技術分野】
【０００１】
本発明は、マンション（apartment）などの集合住宅の住戸の玄関扉に設けられた電子錠を開錠するための技術に関する。
【背景技術】
【０００２】
マンション（apartment）などの集合住宅の共用玄関にはセキュリティを高めるために電子錠が設けられ、共用玄関の電子錠を一時的に開錠するための装置として共用玄関機（例えば、集合インターホン）が集合住宅の共用玄関に設置されることが一般的になり、集合住宅の住戸に住む住居者は、暗証番号、電子錠またはＩＣカードにより共用玄関の電子錠を解錠できるようになっている。
【０００３】
また、集合住宅の住戸へ来訪者があった際に、訪問先の住居者が遠隔操作により共用玄関の電子錠を解錠できるように、共用玄関機と接続可能な室内応答機（例えば、インターフォン）を集合住宅の住戸内に設置し、来訪者が共用玄関のチャイムを鳴らすと、住居者が室内応答機を使って来訪者を確認した後、室内応答機の開錠ボタンを使って共用玄関の電子錠を一時的に開錠できるようになっている。
【０００４】
室内応答機からしか共用玄関の電子錠を開錠できないと、訪問先の住居者は手が離せないときなどに来訪者を確認できないため、特許文献１では、住戸内に設置される室内応答機を携帯端末の形態とし、共用玄関に設置される共用玄関機と公衆電話網で接続できるようにすることで、住戸の住居者の手が離せないときであっても遠隔操作により共用玄関の電子錠を開錠できる発明が開示されている。
【先行技術文献】
【特許文献】
【０００５】
【特許文献１】特開２００２―１９４９３６号公報
【発明の概要】
【発明が解決しようとする課題】
【０００６】
しかしながら、来訪先の住戸内に来訪者が入室するためには、共用玄関の電子錠を開錠した後に、更に、来訪先の住戸の専用玄関に設けられた電子錠を開錠する必要があるが、上述した背景技術は共用玄関の電子錠を開錠するための技術であって、来訪者が訪問先となる住戸の専用玄関の電子錠を開錠できるようにするための技術ではない。
【０００７】
来訪先となる住戸の専用玄関の電子錠を来訪者が開錠できるようにするとセキュリティが無いように思われるかも知れないが、住戸の住居者が育児中の母親や介護を要する高齢者の場合、同居していない家族やホームヘルパなど予め素性が確認できる人が来訪した際に、わざわざ住居者が住戸の専用玄関の電子錠を開錠しなくとも、来訪者が自分で該電子鍵を開錠できるシステムが必要とされる。
【０００８】
そこで、本発明は、住戸の住居者が共用玄関の電子錠を開錠した後に、来訪者が、来訪先の住戸の専用玄関に設けられた電子錠を開錠できる集合住宅用セキュリティシステムを提供することを目的とする。
【課題を解決するための手段】
【０００９】
上述した課題を解決する第１の発明は、来訪者の来訪が許可される住戸の住戸番号と識別番号を記憶しているトークンと、集合住宅の共用玄関に設置される共用玄関機と、集合住宅の住戸の専用玄関に設置される専用玄関機と、とから少なくとも構成される集合住宅用セキュリティシステムである。
【００１０】
第１の発明に係る前記共用玄関機は、住戸の住居者が共用玄関の電子錠を開錠した後に、来訪者が、来訪先の住戸の専用玄関に設けられた電子錠を開錠することのできるように、来訪者が入力した住戸番号に対応する前記専用玄関機へ呼出信号を送信する呼出手段と、前記専用玄関機から入室許可信号を受信すると、前記共用玄関機のリーダライタにかざされた前記トークンから読み出した住戸番号と識別番号を前記専用玄関機へ送信し、該専用玄関機から受信したデータを前記トークンに書き込んだ後、共用玄関の電子錠に開錠信号を送信する共有玄関解除手段を備える。
【００１１】
また、第１の発明に係る前記専用玄関機は、住戸の住居者が共用玄関の電子錠を開錠した後に、来訪者が、来訪先の住戸の専用玄関に設けられた電子錠を開錠することのできるように、前記共用玄関機から呼出信号を受信した後、住居者が入室を許可する操作を行うと入室許可信号を前記共用玄関機へ送信する応答手段と、自機が設けられた住戸の住戸番号と専用玄関の解錠を許可された前記トークンの識別番号を記憶し、前記共用玄関機から住戸番号と識別番号が送信されると、該住戸番号と該識別番号が自機に登録されているか確認し、自機に登録されている場合、所定の手順に従い生成したワンタイムパスワードを該共用玄関機へ送信するデータ生成手段と、前記専用玄関機のリーダライタにかざされた前記トークンから読み取ったワンタイムパスワードと前記データ生成手段が保持しているワンタイムパスワードを照合し、該照合データの照合に成功すると前記専用玄関機が設置されている専用玄関の電子錠に開錠信号を送信する専用玄関開錠手段を備えている。
【００１２】
更に、第２の発明は、第１の発明に記載した集合住宅用セキュリティシステムにおいて、住居へ入室できる日時を限定できるように、前記専用玄関機の前記データ生成手段は、前記共有玄関機へ送信するデータに、この時点の日時を基準として生成した日時データを含ませ、前記専用玄関解錠手段は、前記トークンから読み取ったパスワードの照合に成功し、かつ、この時の日時が、前記トークンから読み取った前記日時データに適合する場合、専用玄関の電子錠に開錠信号を送信することを特徴とする。
【００１３】
更に、第３の発明は、第１の発明または第２の発明に記載した集合住宅用セキュリティシステムにおいて、住居者が遠隔操作により応答できるように、前記トークン、前記共用玄関機及び前記専用玄関機に加え、前記専用玄関機と対になる室内応答機とから少なくとも構成し、前記専用玄関機の前記応答手段は、前記共用玄関機から受信した呼出信号を前記室内応答機へ転送し、前記室内応答機から入室許可を示す信号を受信すると入室許可信号を前記共用玄関機へ送信することを特徴とする。
【発明の効果】
【００１４】
このように、本発明によれば、住戸の住居者が共用玄関の電子錠を開錠した後に、来訪者が、来訪先の住戸の専用玄関に設けられた電子錠を開錠できる集合住宅用セキュリティシステムを提供できる。
【図面の簡単な説明】
【００１５】
【図１】集合住宅用セキュリティシステムを説明する図。
【図２】集合住宅用セキュリティシステムのシステム構成を説明する図。
【図３】ＩＣカードに格納されるトークンデータを説明する図。
【図４】共用玄関機を説明する図。
【図５】専用玄関機を説明する図。
【図６】室内応答機を説明する図。
【図７】共用玄関の電子錠を開錠する際の動作を説明する図。
【図８】専用玄関の電子錠を開錠する際の動作を説明する図。
【発明を実施するための形態】
【００１６】
ここから、本発明に係る集合住宅用セキュリティシステムの好適な実施形態について、図面を参照しながら詳細に説明する。なお、本発明は，これから説明する実施形態に限定されることなく、種々の変形や変更が可能である。
【００１７】
図１は、本実施形態に係る集合住宅用セキュリティシステム１を説明する図で、図２は、本実施形態に係る集合住宅用セキュリティシステム１のシステム構成を説明する図である。
【００１８】
図１に図示したように、本実施形態に係る集合住宅用セキュリティシステム１は、マンション（apartment）などの集合住宅７内に構築されるシステムで、集合住宅用セキュリティシステム１には、集合住宅７の共用玄関７ａに設置される共用玄関機２と、集合住宅７の各住戸の専用玄関７ｂに設置される専用玄関機３と、住戸に住む住居者８ｂが所持する携帯端末型の室内応答機４とが含まれ、更に、集合住宅７の住戸に来訪する来訪者８ａが所持するトークン（ここでは、非接触型のＩＣカード５）が含まれ、ＩＣカード５と共用玄関機２は近接型の非接触通信にて通信し、共用玄関機２と専用玄関機３は有線にて通信し、専用玄関機３は室内応答機４と無線にて通信するように構成されている。
【００１９】
また、図２にはＩＣカード５の発行に利用される管理装置６が含まれ、この管理装置６は集合住宅７の管理室に設置され、各住戸の専用玄関機３と有線にて接続している。
【００２０】
本実施形態に係る集合住宅用セキュリティシステム１において、来訪者８ａが集合住宅７を来訪した際、来訪先の住戸に付されている住戸番号を共用玄関機２に入力すると、共用玄関機２から該住戸番号が付された住戸の専用玄関機３へ呼出信号が送信され、専用玄関機３は、専用玄関機３と対になる室内応答機４へ呼出無線信号を無線で通信する。
【００２１】
住戸内の住居者８ｂが室内応答機４にて応答すると、該室内応答機４と対になる専用玄関機３は、専用玄関機３が設置されている専用玄関７ｂの電子錠の開錠に用いるワンタイムパスワードを生成し、生成したワンタイムパスワードを共用玄関機２へ送信し、専用玄関機３が生成したワンタイムパスワードは共用玄関機２によりＩＣカード５へ書き込まれ、来訪者８ａが来訪先の住戸を来訪した際に、共用玄関機２によってＩＣカード５に書き込まれたワンタイムパスワードが照合される。
【００２２】
また、本実施形態では、住戸に入室できる日時を限定できるように、ワンタイムパスワードに加え、専用玄関機３が設置されている専用玄関７ｂの電子錠の開錠できる日時を示す日時データを専用玄関機３で生成し、専用玄関機３が生成したワンタイムパスワードと日時データを共用玄関機２によりＩＣカード５に書き込み、来訪者８ａが来訪先の住戸を来訪した際に、共用玄関機２によってＩＣカード５書き込まれたワンタイムパスワードと日時データが照合されるようにしている。
【００２３】
ここから、本実施形態に係る集合住宅用セキュリティシステム１に含まれる装置等について説明する。まず、来訪者８ａが所持するＩＣカード５に格納されるトークンデータについて説明する。
【００２４】
ＩＣカード５とは、ＣＰＵ、ＲＡＭ、ＲＯＭ、ＥＥＰＲＯＭ及び近接型の非接触通信に対応したＲＦ回路などを有するＩＣチップが実装されたカードで、来訪者８ａに係るユーザが所持する入室を管理するためのトークンデータがＩＣカード５のＥＥＰＲＯＭに記憶され、ＥＥＰＲＯＭ内のデータを読み書きするためのコマンドなどがＩＣカード５のＲＯＭに格納される。
【００２５】
図３は、来訪者８ａが所持するＩＣカード５に格納されるトークンデータを説明する図である。本実施形態において、このトークンデータには、静的データとして、ＩＣカード５を識別するための番号である識別番号と、ＩＣカード５を発行した年月日である発行日と、ＩＣカード５を発行した時間である発行時間と、ＩＣカード５を所持する来訪者８ａが入室を許可されている住戸の住戸番号が含まれる。
【００２６】
図３で図示した静的データは、集合住宅７の管理室に設置された管理装置６によってＩＣカード５に発行され、ＩＣカード５が発行されると、ＩＣカード５に書き込まれた住戸番号に対応する専用玄関機３へ、ＩＣカード５に書き込まれた識別番号が送信され、該専用玄関機３に該識別番号が登録される。
【００２７】
また、ＩＣカード５のトークンデータには、動的データとして、来訪毎に更新されるワンタイムパスワードと、来訪者８ａの入室を許可する日時を示す日時データとして、来訪者８ａの入室を許可する日付である入室許可日と、来訪者８ａの入室を許可する時間帯の開始時刻である入室許可開始時刻と、来訪者８ａの入室を許可する時間帯の終了時刻である入室許可終了時刻が含まれ、これらの動的データを書き込む装置は共用玄関機２になる。
【００２８】
また、ＩＣカード５のトークンデータにはチェックコード（例えば、ＣＲＣ）が付され、ＩＣカード５に格納されているトークンデータが更新されると、ＩＣカード５は、更新後のトークンデータに基づいてチェックコードを更新する。
【００２９】
次に、集合住宅７の共用玄関７ａに設置される共用玄関機２について説明する。図４は、集合住宅７の共用玄関７ａに設置される共用玄関機２を説明する図で、図４（ａ）は共用玄関機２のハードウェアを説明する図、図４（ｂ）は共用玄関機２の機能を説明する図である。
【００３０】
図４（ａ）に図示したように、集合住宅７の共用玄関７ａに設置される共用玄関機２は、集合住宅７に来訪した来訪者８ａが所持するＩＣカード５と近接型の非接触通信により通信するリーダライタ２ｃと、来訪者８ａが住戸番号を入力して来訪先の住戸を呼び出しするテンキー２ｂと、来訪者８ａを音声にてガイドするためのスピーカ２ｄと、来訪者８ａが音声を入力するマイク２ｅと、来訪者８ａを撮影するためのカメラ２ｆと、ＣＰＵ、ＲＡＭ、フラッシュメモリなどが実装されたコンピュータボードで実現される制御回路２ａを備え、リーダライタ２ｃ、テンキー２ｂ、カメラ２ｆ、スピーカ２ｄ及びマイク２ｅは制御回路２ａに接続され、更に、共用玄関７ａの電子錠と専用玄関機３が制御回路２ａに接続されている。
【００３１】
図４（ｂ）に図示したように、集合住宅７の共用玄関７ａに設置される共用玄関機２は、制御回路２ａのロジック回路などにより実現される機能として、来訪者８ａがテンキー２ｂにより入力した住戸番号に対応する前記専用玄関機３へ呼出信号を送信する呼出手段２０と、専用玄関機３から入室許可信号を受信すると、共用玄関機２のリーダライタ２ｃにかざされたＩＣカード５から読み出した住戸番号と識別番号を該専用玄関機３へ送信し、該専用玄関機３から受信したデータをＩＣカード５に書き込んだ後、共用玄関７ａの電子錠に開錠信号を送信する共用玄関解除手段２１を備えている。
【００３２】
次に、集合住宅７の住戸毎に設置される専用玄関機３について説明する。図５は、集合住宅７の住戸毎に設置される専用玄関機３を説明する図で、図５（ａ）は専用玄関機３のハードウェアを説明する図、図５（ｂ）は専用玄関機３の機能を説明する図である。
【００３３】
図５（ａ）に図示したように、集合住宅７の住戸毎に設置される専用玄関機３は、集合住宅７に来訪した来訪者８ａが所持するＩＣカード５と近接型の非接触通信により通信するリーダライタ３ｃと、来訪者８ａが来訪先の住戸を呼び出しする呼出ボタン３ｂと、来訪者８ａを音声にてガイドするためのスピーカ３ｄと、来訪者８ａが音声を入力するマイク３ｅと、ＣＰＵ、ＲＡＭ、フラッシュメモリなどが実装されたコンピュータボードで実現される制御回路３ａを備え、この制御回路３ａのフラッシュメモリには、専用玄関機３が設置されている住戸に付された住戸番号と、管理装置６から送信された識別番号が登録されている。
【００３４】
専用玄関機３の制御回路３ａには、リーダライタ３ｃ、呼出ボタン３ｂ、スピーカ３ｄ及びマイク３ｅに加え、専用玄関機３が設置されている住戸に設置された室内応答機４と無線通信するための無線通信回路３ｆ（例えば、Bluetooth）が接続され、更に、専用玄関７ｂの電子錠と共用玄関機２が接続されている。
【００３５】
図５（ｂ）に図示したように、集合住宅７の専用玄関７ｂに設置される専用玄関機３は、制御回路３ａのロジック回路などにより実現される機能として、共用玄関機２から受信した呼出信号を室内応答機４へ無線で転送し、室内応答機４から入室許可を示す信号を受信すると入室許可信号を共用玄関機２へ送信する応答手段３０と、自機が設けられた住戸の住戸番号と専用玄関７ｂの解錠を許可されたＩＣカード５の識別番号を記憶し、共用玄関機２から住戸番号と識別番号が送信されると、該住戸番号と該識別番号が自機に登録されているか確認し、自機に登録されている場合、所定の手順に従い生成したワンタイムパスワードを該共用玄関機２へ送信するデータ生成手段３１と、専用玄関機３のリーダライタ３ｃにかざされたＩＣカード５から読み取ったワンタイムパスワードと日時データを照合し、該照合データの照合に成功すると専用玄関機３が設置されている専用玄関７ｂの電子錠に開錠信号を送信する専用玄関開錠手段３２を備えている。
【００３６】
次に、集合住宅７の住戸毎に設置される専用玄関機３と対になる室内応答機４について説明する。図６は、室内応答機４を説明する図である。
【００３７】
集合住宅７の住戸毎に設置される室内応答機４は専用玄関機３の子機となる装置で、図６に図示したように、集合住宅７の住戸毎に設置される室内応答機４は、共用玄関機２から送信された映像等を表示するディスプレイ４ｂと、来訪者８ａが行った呼び出しに応答するための応答ボタン４ｃと、来訪者８ａの入室を許可するときに押す許可ボタン４ｆと、来訪者８ａの入室を不許可するときに押す不許可ボタン４ｇと、住戸に住む住居者８ｂを音声にてガイドするためのスピーカ４ｄと、住戸に住む住居者８ｂが音声を入力するマイク４ｅと、ＣＰＵ、ＲＡＭ、フラッシュメモリなどが実装されたコンピュータボードで実現される制御回路４ａを備え、この制御回路４ａには、専用玄関７ｂの電子錠の開錠ログなどを記憶するための大容量のメモリが実装されている。
【００３８】
また、室内応答機４の制御回路には、ディスプレイ４ｂ、応答ボタン４ｃ、許可ボタン４ｆ、不許可ボタン４ｇ、スピーカ４ｄ及びマイク４ｅに加え、室内応答機４が設置されている住戸に設置された専用玄関機３と無線通信するための無線通信回路４ｈ（例えば、Bluetooth）が接続されている。
【００３９】
ここから、図１で図示した集合住宅用セキュリティシステム１の動作について説明する。図７は、共用玄関７ａの電子錠を開錠する際の動作を説明する図で、図８は、専用玄関７ｂの電子錠を開錠する際の動作を説明する図である。
【００４０】
まず、図７を参照しながら、共用玄関７ａの電子錠を開錠する際の動作について説明する。来訪者８ａが共用玄関７ａの電子錠を開錠する際、来訪者８ａは、共用玄関機２のテンキー２ｂの数字ボタンにより訪問先となる住戸の住戸番号を入力した後、テンキー２ｂの呼ボタンを押すことで、来訪先の住戸の住居者８ｂを呼び出す操作を行うと、共用玄関機２の呼出手段２０は、来訪者８ａが入力した住戸番号に対応する住戸の専用玄関機３に対して呼出信号を送信する（Ｓ１）。
【００４１】
専用玄関機３の応答手段３０は、共用玄関機２から呼出信号を受信すると、該専用玄関機３と対になる室内応答機４を呼出す無線信号を送信し、室内応答機４は、室内応答機４を呼出す無線信号を専用玄関機３から受信すると、室内応答機４のスピーカ４ｄから呼出音を発し、住戸の住居者８ｂが室内応答機４の応答ボタン４ｃを押すことで該無線信号に応答すると、室内応答機４は、室内応答機４と対になる専用玄関機３へ応答ボタン４ｃが押されたことを示す信号を送信し、専用玄関機３の応答手段３０は応答信号を共用玄関機２へ送信する（Ｓ２）。
【００４２】
共用玄関機２の呼出手段２０は応答信号を受信すると、共用玄関機２と専用玄関機３の通信を確立し（Ｓ３）、共用玄関機２のカメラ２ｆで撮影している来訪者８ａの映像が、通信を確立した専用玄関機３と対になる室内応答機４のディスプレイ４ｂに表示されると共に、共用玄関機２と該室内応答機４間の音声通話が可能になる。
【００４３】
来訪者８ａの訪問先となる住戸の住居者８ｂは、室内応答機４のディスプレイ４ｂに表示されている映像やスピーカ４ｄから発せられている音声などにより来訪者８ａを確認した後、室内応答機４の許可ボタンを押すと、室内応答機４は、室内応答機４と対になる専用玄関機３へ許可ボタン４ｆが押されたことを示す無線信号を送信し、専用玄関機３は該無線信号を受信すると入室許可信号を共用玄関機２へ送信する（Ｓ４）。
【００４４】
専用玄関機３から入室許可信号を受信すると、共用玄関機２の共用玄関解除手段２１が作動し、共用玄関機２の共用玄関解除手段２１は、共用玄関機２のリーダライタ２ｃにＩＣカード５をかざすことを指示する音声をスピーカ２ｄから発し、共用玄関機２のリーダライタ２ｃが検知したＩＣカード５に記憶されているトークンデータを読み取る処理を実行する（Ｓ５）。
【００４５】
共用玄関機２の共用玄関解除手段２１は、共用玄関機２のリーダライタ２ｃが検知したＩＣカード５からトークンデータを読み取ると、ＩＣカード５から読み取ったトークンデータのチェックコードを確認し（Ｓ６）、該トークンデータの内容に誤りがない場合、通信を確立した専用玄関機３に対してＩＣカード５から読み取ったトークンデータに含まれる識別番号及び住戸番号を送信する（Ｓ７）。
【００４６】
識別番号及び住戸番号を共用玄関機２から受信すると、専用玄関機３のデータ生成手段３１が作動し、専用玄関機３のデータ生成手段３１は、共用玄関機２から受信した住戸番号が自機の住戸番号と一致するか確認し（Ｓ８）、共用玄関機２から受信した住戸番号が自機の住戸番号であれば、共用玄関機２から受信した識別番号が自機に登録されているか確認し（Ｓ９）、共用玄関機２から受信した識別番号が自機に登録されていれば、ワンタイムパスワード及び日時データを生成し、これらのデータを共用玄関機２へ送信する（Ｓ１０）。
【００４７】
なお、共用玄関機２へ送信する日時データの入室許可日は、共用玄関機２から識別番号及び住戸番号を受信した日付になり、該日時データの入室許可開始時刻及び入室許可終了時刻は、共用玄関機２から識別番号及び住戸番号を受信した時刻に基づいて決定される。
【００４８】
例えば、共用玄関機２から識別番号及び住戸番号を受信した時刻が１５時の場合、入室許可開始時刻を１５時とし、入室許可終了時刻は、共用玄関機２から識別番号及び住戸番号を受信した時刻から１０分間が経過した1５時１０分にするとよい。
【００４９】
また、使い捨てのパスワードであるワンタイムパスワードを生成する手法としては幾つかあるが、本実施形態において専用玄関機３のデータ生成手段３１は、ワンタイムパスワードを生成する際、チャレンジと呼ばれるランダムの文字列を生成し、共用玄関機２から受信した識別番号及び住戸番号、並びに、生成したチャレンジを用い、所定のアルゴリズムに従い所定の長さのワンタイムパスワードを生成し、生成したワンタイムパスワードを入室許可終了時刻が経過するまで保持する。
【００５０】
共用玄関機２の共用玄関開錠手段２１は、専用玄関機３からデータ（ここでは、ワンタイムパスワードと日時データ）を受信すると、これらのデータをＩＣカード５に書き込む処理を実行して、ＩＣカード５に格納されているトークンデータを更新した後（Ｓ１１）、共用玄関７ａの電子錠に開錠信号を送信して（Ｓ１２）、この手順を終了する。
【００５１】
次に、図８を参照しながら、住戸玄関の玄関扉の電子錠を開錠する際の動作について説明する。  図７の手順に従い住戸玄関の玄関扉の電子錠を開錠した来訪者８ａが、来訪先の住戸の玄関扉に設けられた専用玄関機３のリーダライタ３ｃにＩＣカード５をかざすと、専用玄関機３の専用玄関開錠手段３２が作動し、専用玄関機３の専用玄関開錠手段３２は、専用玄関機３のリーダライタ３ｃが検知したＩＣカード５に記憶されているトークンデータを読み取る処理を実行する（Ｓ２０）。
【００５２】
専用玄関機３の専用玄関開錠手段３２は、専用玄関機３のリーダライタ３ｃが検知したＩＣカード５からトークンデータを読み取ると、ＩＣカード５から読み取ったトークンデータのチェックコードを確認し、ＩＣカード５から読み出したトークンデータに間違いがないか確認する（Ｓ２１）。
【００５３】
専用玄関機３は、ＩＣカード５から読み取ったトークンデータのチェックコードを確認すると、ＩＣカード５から読み取ったトークンデータに含まれる住戸番号が自機の住戸番号と一致するか確認し（Ｓ２２）、ＩＣカード５から読み取った住戸番号が自機の住戸番号であれば、ＩＣカード５から読み取ったトークンデータに含まれる識別番号が自機に登録されているか確認する（Ｓ２３）。
【００５４】
ＩＣカード５から読み取った識別番号が自機に登録されていれば、専用玄関機３の専用玄関開錠手段３２は、ＩＣカード５から読み取ったトークンデータに含まれる日時データの入室許可日がこの時の日付と同日であるか確認し（Ｓ２４）、ＩＣカード５から読み取ったトークンデータに含まれる日時データの入室許可日がこの時の日付と同日であれば、次に、ＩＣカード５から読み取ったトークンデータに含まれる日時データの入室許可開始時刻と入室許可終了時刻で決まる時間帯にこの時の時刻が含まれるか確認する（Ｓ２５）。
【００５５】
ＩＣカード５から読み取ったトークンデータに含まれる入室許可開始時刻と入室許可終了時刻で決まる時間帯にこの時の時刻が含まれれば、ＩＣカード５から読み取ったトークンデータに含まれるワンタイムパスワードと専用玄関機３側で保持しているワンタイムパスワードを照合する処理を実行する（Ｓ２６）。
【００５６】
専用玄関機３は、ＩＣカード５から読み取ったトークンデータに含まれるワンタイムパスワードの照合に成功すると、専用玄関機３が設けられている専用玄関７ｂの電子錠に開錠信号を送信した後（Ｓ２７）、専用玄関機３と対になる室内応答機４に、ＩＣカード５の識別番号と開錠日時などを含む開錠ログを送信する（Ｓ２８）。専用玄関７ｂの開錠ログを受信すると、室内応答機４は、受信した開錠ログをメモリに記憶して（Ｓ２９）、この手順を終了する。
【００５７】
このように本実施形態によれば、住戸の住居者が共用玄関の電子錠を開錠した後に、来訪者が、来訪先の住戸の専用玄関に設けられた電子錠を開錠できる集合住宅用セキュリティシステムを提供できる。また、本実施形態の集合住宅用セキュリティシステム１は、住居者が共用玄関の電子錠を開錠した後に、専用玄関機３はワンタイムパスワードを生成して来訪者が持つＩＣカード５に書き込み、来訪者が来訪先の住戸の専用玄関に設けられた電子錠を開錠するときに、専用玄関機３がＩＣカード５から読み取ったワンタイムパスワードの照合を行うので、セキュリティ性を向上させることができる。室内応答機４は開錠ログを記憶するので、住居者は後から開錠ログを確認することができる。
【符号の説明】
【００５８】
１    集合住宅用セキュリティシステム
２    共用玄関機
２０  呼出手段
２１  共用玄関開錠手段
３    専用玄関機
３０  応答手段
３１  データ生成手段
３２  専用玄関開錠手段
４    室内応答機
５    トークン（ＩＣカード）
６    管理装置
７    集合住宅
７ａ  共用玄関
７ｂ  専用玄関
８ａ  来訪者
８ｂ  住居者
【図１】
2013068026.tif 000003
【図２】
2013068026.tif 000004
【図３】
2013068026.tif 000005
【図４】
2013068026.tif 000006
【図５】
2013068026.tif 000007
【図６】
2013068026.tif 000008
【図７】
2013068026.tif 000009
【図８】
2013068026.tif 000010